(57)【要約】【課題】容易にインパクトのあるホログラムを得ることができる多重露光ホログラム作製方法を提供する。【解決手段】一の光干渉型露光手段１０として実写によりマスタホログラム記録媒体ＡＭを作製し、他の光干渉型露光手段２０としてデジタルを介したホログラム記録媒体ＤＭを作製して、一方のマスタホログラム記録媒体ＡＭについて複製を作製するとともに、複製済みのホログラム記録媒体ＡＭを他の露光手段におけるマスタホログラム記録媒体ＤＭと置き換えて、多重露光を行う。この場合には、実写による高精度の像と、例えば３Ｄ文字とを１枚の記録媒体に記録することができ、インパクトのあるホログラムを作製することができる。【選択図】図１
2008209722.tif 000002
【特許請求の範囲】
【請求項１】
記録媒体に複数回の露光を行う多重露光ホログラム作製方法において、
アナログ方式の光干渉型露光手段によりマスタホログラム記録媒体を作製現像し、
作成された前記マスタホログラム記録媒体を用いて複製記録媒体をホログラム複製光学系で作製し、
前記ホログラム複製光学系で作成された現像処理前の前記複製記録媒体に他方式の光干渉型露光手段によるホログラムを多重露光形成する多重露光ホログラム作製方法。
【請求項２】
前記ホログラム複製光学系での複製が完了した前記アナログ方式のマスタホログラム記録媒体と他方式の光干渉型露光手段により作製現像したマスタホログラム記録媒体とを交換した後、ホログラム複製光学系内で前記複製記録媒体に多重露光して１枚の多重露光ホログラムを作製する請求項１に記載の多重露光ホログラム作製方法。
【請求項３】
前記ホログラム複製光学系で作成された現像処理前の前記複製記録媒体を他方式の光干渉型露光光学系に移動し、移動後の複製記録媒体に他方式の光干渉型露光手段により多重露光して１枚の多重露光ホログラムを作製する請求項１に記載の多重露光ホログラム作製方法。
【請求項４】
他方式による前記光干渉型露光手段のマスタホログラム記録媒体が、平面像に対する直接又は間接的な光干渉の利用により記録媒体上に作製される請求項１〜３のいずれか１項に記載の多重露光ホログラム作製方法。
【請求項５】
前記ホログラム複製光学系での前記複製記録媒体と前記マスタホログラム記録媒体とのそれぞれの距離設定に従って前記複製記録媒体内に出来上がる各ホログラムの前後位置関係が変更可能である請求項１〜請求項４のいずれか１項に記載の多重露光ホログラム作製方法。
【請求項６】
前記記録媒体が主粒径１８〜２８ｎｍの銀塩乳剤を含む感光層をそなえる請求項１〜請求項５のいずれか１項に記載の多重露光ホログラム作製方法。
【請求項７】
前記記録媒体の白色バランスにつきＲ，Ｇ，Ｂ間の露光量比率がほぼ同じで達成される請求項１〜請求項６のいずれか１項に記載の多重露光ホログラム作製方法。
【請求項８】
前記請求項１〜請求項７のいずれか１項に記載の多重露光ホログラム作製方法により作製されるホログラムであって、
アナログ方式を含む複数の方式の光干渉型露光手段による光干渉が１枚の記録媒体に記録される多重露光ホログラム。
【発明の詳細な説明】
【技術分野】
【０００１】
本発明は多重露光ホログラム作製方法及び作製された多重露光ホログラムに係り、記録媒体に複数のホログラムを記録する多重露光ホログラム作製方法に関するものである。
【背景技術】
【０００２】
従来より、ホログラム記録を有する面の上に、部分的に重ねて別の多重露光ホログラム記録を形成することが知られている（特許文献１参照）。
この特許文献１に記載されている多重露光ホログラムでは、ホログラム記録を有する面の上にポジ型フォトレジストを塗布し、塗布されたポジ型フォトレジストに新たにホログラムパターンを露出し、次いでマスクパターンをかけてフォトレジストロッドに部分的に紫外線を照射してから現像している。
【０００３】
これ以外にも、例えば、ステレオグラムとホログラムを貼り合わせて多重露光ホログラムを形成する技術が開示されている（特許文献２参照）。
この特許文献２に記載されている多重露光ホログラムでは、第１の記録媒体に記録してホログラフィックステレオグラムを作製するとともに、第２の記録媒体に実物体からのホログラムを別個に作製し、第１の記録媒体と第２の記録媒体とを貼り合わせて多重露光ホログラムを作製している。
【特許文献１】特開昭５９−１５４４８２号公報
【特許文献２】特開平１１−８４９９４号公報
【発明の開示】
【発明が解決しようとする課題】
【０００４】
ところで、近年、ホログラムを用いて、注目を引くことが行われている。例えば、多くの人が集まる商業施設内に設置することで、イベントやインフォメーションの告知、広告として利用されようとしている。また、店舗内にホログラムを設置することで、インパクトのあるブランドイメージの提供や商品案内を行うことが試行されている。また、受付やショールームに設置することで、企業のロゴや製品を３Ｄで表現することが可能になる。
【０００５】
しかしながら、前述した特許文献１に記載の多重露光ホログラムでは、実体物を直接撮影した実写ホログラムが用いられているので解像度の高いホログラムが得られるが、多重露光により１画像当たりの回折効率が低下し、ホログラム自体の明るさを出しづらくなり、更なるインパクトが要求されている。この特許文献１に使用されるフォトポリマを主体とした記録媒体では、銀塩乳剤を含む記録媒体に比べ、感度が１桁〜２桁低く、露光装置が同一の場合、長時間の露光が必要となる。しかも、この場合、置物など静止しているものは良いが、人や動物など、動くものは、被写体に成り得ない。
【０００６】
また、前述した特許文献２に記載の多重露光ホログラムでは、実写によるホログラムと、デジタルを介して作製されたホログラムとを用いているが、両ホログラムを貼り付けて多重露光ホログラムを作製しているので、正確な位置あわせは難しく、手間がかかり、面倒であるという不都合があった。更には、作成されたホログラムの記録面は媒体の厚みだけ離れているので、観察の方向によって微妙なズレが発生し、見づらくなるという問題も含んでいる。
【０００７】
更に、上記のような実写によるホログラムの基本的問題として、Ａ４程度の大きさでも作成に数時間を要し、しかも、鮮明且つ大きなものを作ろうとすると、照射光源を強力なレーザーとする必要があり、ホログラム作成の光学系が大型化かつ高価になるという問題がある。
特に、銀塩乳剤を含む記録媒体の場合、その平均粒径としては４０ｎｍ程度であり、Ｂ（青）の波長では、他の波長Ｒ（赤），Ｇ（緑）よりも回折効率が低下する傾向が顕著であった。その場合、白色バランスを取るためには、その分、Ｂ（青）波長の露光時間を長くするか、他の波長の露光量を制限するかであるが、いずれにしても光学系における振動の影響が顕著となり、また、ホログラムが暗くなる。そこで、照射光源を強力なレーザーとしなければいけないという問題がでてくる。
【０００８】
本発明は、前述した問題点に鑑みてなされたものであり、その目的は、高精細かつ明るくインパクトのあるホログラムを比較的小型の光学系に置いて得ることができる多重露光ホログラム作製方法を提供することにある。
【課題を解決するための手段】
【０００９】
前述した目的に対して、本発明は以下の構成により達成している。
（１）  記録媒体に複数回の露光を行う多重露光ホログラム作製方法において、
アナログ方式の光干渉型露光手段によりマスタホログラム記録媒体を作製現像し、作成された前記マスタホログラム記録媒体を用いて複製記録媒体をホログラム複製光学系で作製し、前記ホログラム複製光学系で作成された現像処理前の前記複製記録媒体に他方式の光干渉型露光手段によるホログラムを多重露光形成する多重露光ホログラム作製方法。
【００１０】
このように構成された多重露光ホログラム作製方法においては、アナログ方式の光干渉型露光手段として実写によりマスタホログラム記録媒体を作製し、アナログ方式のマスタホログラム記録媒体についてホログラム複製光学系で複製を作製した後、ホログラム複製光学系で作成された現像処理前の複製記録媒体に他方式の光干渉型露光手段によるホログラムを多重露光形成する。このようにすることで、、位置基準として正確である同一光軸の複製光学系において多重露光を行うことができ、しかも同一平面での形成であり、像のズレなどは発生しない。この場合には、実写による高精度のホログラムと、例えばデジタルを介して作製された３Ｄ文字とを１枚の記録媒体に正確に位置合わせしながら記録することができ、インパクトのあるポスターなどを作製することができる。
【００１１】
更に、このように構成された多重露光ホログラム作製方法においては、１つのマスタホログラム記録媒体がアナログホログラムを記録したものであるので、実写による高精度の像を再現することができる。なお、ここで、アナログホログラムとは物体を直接撮影して作製した実写ホログラムを意味する。
【００１２】
（２）  前記ホログラム複製光学系での複製が完了した前記アナログ方式のマスタホログラム記録媒体と他方式の光干渉型露光手段により作製現像したマスタホログラム記録媒体とを交換した後、ホログラム複製光学系内で前記複製記録媒体に多重露光して１枚の多重露光ホログラムを作製する上記（１）に記載の多重露光ホログラム作製方法。
【００１３】
このように構成された多重露光ホログラム作製方法においては、他方式の光干渉型露光手段でもマスタホログラムを作製し、ホログラム複製光学系ではマスタホログラムの交換のみで多重露光が可能なので、現像後のマスタホログラムを保管の後に複製に供することが可能で、必要なときに多重露光ホログラムを作製することができる。
【００１４】
（３）  前記ホログラム複製光学系で作成された現像処理前の前記複製記録媒体を他方式の光干渉型露光光学系に移動し、移動後の複製記録媒体に他方式の光干渉型露光手段により多重露光して１枚の多重露光ホログラムを作製する上記（１）に記載の多重露光ホログラム作製方法。
【００１５】
このように構成された多重露光ホログラム作製方法においては、他方式によるホログラムの作製光学系に、そのままアナログ複製記録媒体を導入して多重露光ホログラムを作製するので、他方式によるマスタを作製する工程を省いて、工程を簡素化することができる。
【００１６】
（４）他方式による前記光干渉型露光手段のマスタホログラム記録媒体が、平面像に対する直接又は間接的な光干渉の利用により記録媒体上に作製される上記（１）〜（３）のいずれか１項に記載の多重露光ホログラム作製方法。
【００１７】
このように構成された多重露光ホログラム作製方法においては、平面像に対する直接又は間接的な光干渉の利用により記録媒体上に作製されるホログラムは、像の位置及び観察の方向などが比較的容易に設定されるので、立体的な物体を記録して情報量は多いが位置や観察角度の設定の変更が効かないアナログホログラムとの連携を取りやすいく、実際に多重露光となる範囲を容易に限定することができ、回折効率が低下する多重範囲を少なくする配置として、像全体を明るく保つことができる。
これらに、文字等の平面的な像を重ねることにより、従来より写真や文字が平面的に混在して示されているポスタを、立体的に再現することができ、インパクトのあるホログラムを作製することができる。
【００１８】
（５）前記ホログラム複製光学系での前記複製記録媒体と前記マスタホログラム記録媒体とのそれぞれの距離設定に従って前記複製記録媒体内に出来上がる各ホログラムの前後位置関係が変更可能である上記（１）〜上記（４）のいずれか１項に記載の多重露光ホログラム作製方法。
【００１９】
このように構成された多重露光ホログラム作製方法においては、例えば再現された際の、像と別の像との前後の位置関係や、像と文字等との前後の位置関係を容易に設定することができる。
【００２０】
（６）前記記録媒体が主粒径１８〜２８ｎｍの銀塩乳剤を含む感光層をそなえる上記（１）〜（５）のいずれか１項に記載の多重露光ホログラム作製方法。
【００２１】
このように構成された多重露光ホログラム作製方法においては、粒子が小さい銀塩乳剤を含む記録媒体を用いるので干渉縞のピッチあたりの粒子数が増加し、全体の回折効率が向上するだけでなく、粒子個々の反応が小さくても粒子数が増加するということにより、分解能が向上し、明るいホログラムとすることができる。
【００２２】
（７）前記記録媒体の白色バランスにつきＲ，Ｇ，Ｂ間の露光量比率がほぼ同じで達成される上記（１）〜（６）のいずれか１項に記載の多重露光ホログラム作製方法。
【００２３】
このように構成された多重露光ホログラム作製方法においては、主粒径１８〜２８ｎｍの銀塩乳剤を含む感光層ではＢ（青）波長の回折効率低下はなく、白色バランスに関して、Ｒ（赤）Ｇ（緑）Ｂ（青）間の露光量比率をほぼ同じとすることで、従来と同様の露光時間とすれば、記録媒体の回折効率を十分に利用することができ、ホログラムを明るく、または、短い時間で露光することができる。
【００２４】
（８）上記（１）〜（７）のいずれか１項に記載の多重露光ホログラム作製方法により作製されるホログラムであって、アナログ方式を含む複数の方式の光干渉型露光手段による光干渉が１枚の記録媒体に記録される多重露光ホログラム。
【００２５】
このように構成されたホログラムにおいては、１枚の記録媒体により、像と像を同時に再現したり、像と文字等を同時に再現することができ、インパクトのある像を提供することができる。
【発明の効果】
【００２６】
本発明によれば、比較的小型の光学系において、多重露光によって１枚の記録媒体に像と像を同時に記録したり、像と文字等を同時に記録することができるので、インパクトのある像を容易に提供することができる。
【発明を実施するための最良の形態】
【００２７】
以下、本発明に係る実施形態を図面に基づいて詳細に説明する。
図１は本発明の第１の実施形態である多重露光ホログラム作製方法に係る実施形態を示すフローチャート図、図２はアナログ用露光光学系を示す構成図、図３（Ａ）および（Ｂ）はデジタル用露光光学系を示す構成図、図４は複製光学系を示す構成図である。
【００２８】
本実施形態の多重露光ホログラム作製方法は、複数回の露光によって多重露光ホログラム１を作製するものである。ここでは、一例として、図１に示すように、光干渉型露光手段の１つによるマスタホログラム記録媒体として物体を直接撮影して作製する実写ホログラム（以後、「アナログホログラムＡＨ」と言う。）と、他の光干渉型露光手段によるマスタホログラム記録媒体としてデジタル処理などを介して擬似的に立体情報を作製するホログラム（本実施形態ではマルチプレックスホログラムであり、以後、「デジタルホログラムＤＨ」と言う。）とを作製し、これらのマスタホログラムを複製用光学系により多重露光して多重露光ホログラム１を作製する場合について説明する。なお、アナログホログラムＡＨおよびデジタルホログラムＤＨはカラーであるとする。
【００２９】
図１に示す本実施形態の多重露光ホログラム作製方法では、複数の方式の光干渉型露光手段によりそれぞれのマスタホログラム記録媒体であるアナログホログラム用マスタ（アナログマスタＡＭ）（ステップＳ１）とデジタルホログラム用マスタ（デジタルマスタＤＭ）（ステップＳ２）を作製する。
まず、アナログマスタＡＭの作製（ステップＳ１）について説明する。図２に示すアナログ用露光光学系１０を用いて露光し（ステップＳ１１）、赤、緑、青のアナログマスタＡＭを作製する。アナログ用露光光学系１０では、レーザ光源Ｌとして、Ｒ（赤）レーザＬ１、Ｇ（緑）レーザＬ２、Ｂ（青）レーザＬ３を有している。
【００３０】
レーザ光源Ｌには、単一波長発振（シングルモード）でコヒーレンス（可干渉性）が高く、スペクトル線幅が１０ＭＨｚ未満のものが望ましい。さらに、ホログラム撮影には、ホログラムサイズや撮影物サイズにもよるが、コヒーレント長が、約２００ｍｍ以上のレーザが用いられる。好ましくは、1ｍ以上のものが選択されるのが好ましい。また、サブミクロンオーダのピッチの干渉縞が記録媒体に形成されるので、光学系において露光中にこの干渉縞ピッチオーダの振動（所定時間内の移動）を抑制する必要がある。つまり、露光時間は出来るだけ短いほうが、振動の影響は少ないので、レーザパワーは大きいほうが好ましく、たとえば、１０〜４００ｍＷ程度のレーザ光源が望ましい。
【００３１】
レーザ光源Ｌの前方には、各々シャッタＳ１、Ｓ２、Ｓ３が設けられている。コヒーレンスが高いレーザ光を必要とするため、通常、レーザ光源Ｌは使用開始前から予め電源を投入してレーザ発振状態を保ち、レーザ内の温度や発振状態を安定させる。この間、レーザ光が光学系に入ると不必要な露光が発生するので、シャッタＳ１、Ｓ２、Ｓ３を設ける。また、ホログラフィ用記録媒体１１への露光時、所定時間露光することによって、記録媒体１１へ、所望のエネルギを与えるように制御することができる。
【００３２】
各シャッタＳ１、Ｓ２、Ｓ３の前方には、光量を調整するために各々光減衰フィルタＮＤ１，ＮＤ２，ＮＤ３が設けられている。光減衰フィルタとしては、吸収タイプや反射タイプの固定減衰フィルタや回転式の可変減衰フィルタを用いることができる。従って、記録媒体１１への露光エネルギ調整時に、シャッタＳ１、Ｓ２、Ｓ３による時間調整のみならず、光減衰フィルタＮＤ１，ＮＤ２，ＮＤ３による露光調整も可能である。
【００３３】
各光減衰フィルタＮＤ１，ＮＤ２，ＮＤ３の前方には、各波長に合ったλ／２波長板Ｗ１，Ｗ２，Ｗ３が設けられており、入射光の偏光角度を回転させることができるようになっている。すなわち、各光減衰フィルタＮＤ１，ＮＤ２，ＮＤ３の前方に設けられている偏光ビームスプリッタＰＢＳが、入射する光の偏光角度の状態により直進光と反射光に分けられる際の比が異なるため、λ／２波長板Ｗ１，Ｗ２，Ｗ３を光軸方向と垂直な方向へ回転することで、λ／２波長板Ｗ１，Ｗ２，Ｗ３からの透過光の偏光角度を変え、後の偏光ビームスプリッタＰＢＳからの透過光と反射光の比を変えることができる。
【００３４】
λ／２波長板Ｗ１，Ｗ２，Ｗ３の前方には、各々偏光ビームスプリッタＰＢＳ１、ＰＢＳ２、ＰＢＳ３が設けられており、レーザ光源Ｌからの光を撮影物Ｍに照射する物体光Ｂａと、アナログマスタＡＨを照射する参照光Ｂｂとに分割している。偏光ビームスプリッタＰＢＳ１、ＰＢＳ２、ＰＢＳ３は、各波長に合ったものが用いられるのが望ましく、キューブタイプや平板タイプを適宜用いることができるが、平板タイプは、光軸差が生じてしまうため、キューブタイプを用いるのが望ましい。アナログマスタＡＨを露光する場合、物体光Ｂａと参照光Ｂｂとの比、Ｂａ：Ｂｂは、撮影物Ｍの色や光沢により、１：１〜１０：１まで変える。このとき、前述したλ／２波長板Ｗ１，Ｗ２，Ｗ３を回転させ、偏光ビームスプリッタＰＢＳ透過または反射後の分光比を変更する。
【００３５】
偏光ビームスプリッタＰＢＳ１の物体光Ｂａ側の下流には、１段目のダイクロイックミラーＤＭ１が設けられており、その下流側には２段目のダイクロイックミラーＤＭ２が設けられている。また、偏光ビームスプリッタＰＢＳ１の参照光Ｂｂ側の下流には、１段目のダイクロイックミラーＤＭ３が設けられており、その下流側には２段目のダイクロイックミラーＤＭ４が設けられている。
【００３６】
また、偏光ビームスプリッタＰＢＳ２の物体光Ｂａ側の下流には、ミラーＭ１が設けられており、透過光が１段目のダイクロイックミラーＤＭ１に入射するようになっている。同様に、偏光ビームスプリッタＰＢＳ３の物体光Ｂａ側の下流には、ミラーＭ２が設けられており、透過光が２段目のダイクロイックミラーＤＭ２に入射するようになっている。一方、偏光ビームスプリッタＰＢＳ２の参照光Ｂｂ側の下流には、ミラーＭ３が設けられており、反射光が１段目のダイクロイックミラーＤＭ３に入射するようになっている。同様に、偏光ビームスプリッタＰＢＳ３の参照光Ｂｂ側の下流には、ミラーＭ４が設けられており、反射光が２段目のダイクロイックミラーＤＭ４に入射するようになっている。
【００３７】
１段目のダイクロイックミラーＤＭ１，ＤＭ３は、赤を透過し、緑を下流側へ反射して、赤と緑を同一の光軸に乗せるものである。また、２段目のダイクロイックミラーＤＭ２，ＤＭ４は、赤・緑を透過し、青を反射し、赤・緑と青を同一の光軸に乗せるものである。なお、ダイクロイックミラーとしては、キューブタイプや平板タイプが適宜用いることができるが、平板タイプは光軸差が生じてしまうため、キューブタイプを用いるのが望ましい。
【００３８】
なお、赤・緑・青のアナログマスタＡＭとしてそれぞれ１枚ずつ記録媒体１１に記録する際には、前述したレーザ光源Ｌを、順次赤レーザＬ１、緑レーザＬ２、青レーザＬ３に切り替えたり、シャッタＳ１〜Ｓ３を制御するとともに記録媒体１１を順次新しいものと交換することにより、各色のアナログマスタＡＭ１〜ＡＭ３を１枚ずつ作製することができる。あるいは、レーザ光源Ｌとして一つのレーザ光源を設け、前述した偏光ビームスプリッタＰＢＳ２、ＰＢＳ３およびダイクロイックミラーＤＭ１〜ＤＭ４およびミラーＭ１〜Ｍ４を設けない単一色用の光学系を用いることもできる。この場合には、レーザ光源Ｌを順次、赤→緑→青に交換するとともに、記録媒体１１を新しいものに交換するようにして、各色のアナログマスタＡＭ１〜ＡＭ３を作製することができる。
【００３９】
偏光ビームスプリッタＰＢＳによるＢａ／Ｂｂ光の分光後からアナログマスタＡＭまでの、光ＢａおよびＢｂ光の光軸中心距離は、ほぼ一致するのが望ましく、その差が用いるレーザ光源Ｌのコヒーレント長より十分小さくなるようにする必要がある。このため、光学部品や撮影物や、ホログラフィ用記録媒体１１の配置の関係で、光Ｂａ、Ｂｂ光間距離を一致できない場合は、光路調整機構（図示省略）を用いて調整するようにする。具体的には、各偏光ビームスプリッタＰＢＳから、目標とするホログラム上までの中心光路長が±１０ｍｍ以下になるよう、各偏光ビームスプリッタＰＢＳからの光ＢａまたはＢｂ光の何れかの光路長を調整する。
【００４０】
ダイクロイックミラーＤＭ１，ＤＭ２からの光Ｂａ１は、ミラーＭ１１によって方向を変え、レンズＬ１１によって入射される平行光を発散光Ｂａ２へ変換する。レンズＬ１１としては、例えば顕微鏡用対物レンズ、特に倍率２０〜５０倍の物を適宜用いることができる。これにより、光Ｂａ１は、レンズＬ１１の焦点位置で一度集光し、その後発散する。なお、必要に応じてピンホールＰ１１を焦点位置に設置し、レンズＬ１１と共にスペイシャルフィルタＳＦ１を構成することにより、光Ｂａ２の波面ノイズや歪を取り除いて、クリアな波面（球面波）を作ることができる。また、ここからの発散光Ｂａ２が、アナログマスタＡＭへ照射されぬよう、壁（図示省略）等で遮光するのが望ましい。発散光Ｂａ２は、物体Ｍに照射され、物体光Ｂａ３が記録媒体１１に照射されることになる。
【００４１】
一方、ダイクロイックミラーＤＭ３，ＤＭ４からの光Ｂｂ１は、ミラーＭ１２，Ｍ１３、Ｍ１４を介してレンズＬ１４によって凹面鏡Ｍ１５への発散光Ｂｂ２に変換される。レンズＬ１４としては、前述したレンズＬ１１と同様のものを用いることができる。また、光Ｂａと同様に、必要に応じてピンホールＰ１４を焦点位置に設置し、レンズＬ１４と共にスペイシャルフィルタＳＦ２を構成するのが望ましい。
【００４２】
アナログマスタ撮影時、凹面鏡Ｍ１５はレンズＬ１４からの発散光Ｂｂ２を幅広の平行光Ｂｂ３に変換して、参照光Ｂｂ３としてアナログマスタＡＭへホログラム法線に対し４５度で入射する。これにより、アナログマスタＡＭは、透過型ホログラムとなり、後述する複製ホログラム作製時、歪がなく、立体物を示すホログラムを作製可能となる。凹面鏡Ｍ１５による反射光である参照光Ｂｂ３をできる限り平行光にすべく、光路を妨げぬ程度に、凹面鏡Ｍ１５に対して鋭角に発散光Ｂｂ２を入射するのが望ましい。なお、平行光を形成するには、凹面鏡Ｍ１５のほかに、反射系であれば軸外し放物面鏡を用いることができる。また、透過系であればプラスのパワーを持つレンズを用いることができるが、色（波長）によって焦点位置が異なるので、使用するレーザ波長によって、若干焦点位置を調整する必要がある。平行光がしっかり作製できれば、後の複製ホログラム作製時、アナログマスタＡＭの設置位置が多少ずれた場合でも、再生させる像のサイズや位置が再現性良く再生されるので、若干高価であるが、平行高精度が良く、色毎に調整が不要である軸外し放物面鏡を用いるのが最も望ましい。
【００４３】
アナログマスタＡＭでは、通常、膜面Ｍａを撮影物Ｍ側にして作製する。フイルムタイプの記録媒体１１を用いる場合には、直接ホルダに固定するのが望ましく、フイルムの全辺を固定するタイプのホルダが望ましい。そして、フイルムの支持体面をガラス側にし、ガラス板へ接着させ、ガラス板ごとホルダへ固定して用いる。フイルムは、厚さ０．０７〜０．５ｍｍで、通常０．２ｍｍが使われる。一方、ガラスタイプ（乾板）の記録媒体１０を用いる場合には、直接ホルダに固定するのが望ましい。ガラスは、厚さ１〜５ｍｍで、通常２〜３ｍｍが使われる。
【００４４】
３色別々のアナログマスタＡＭ１〜ＡＭ３を作製する際に、各々の位置ずれが少ないほど最終のホログラムの色ずれが少なく高品質になる。また、後述する複製ホログラム作製時に、３色（３枚）のアナログマスタＡＭ１〜ＡＭ３から複製ホログラムＦＨを複製する場合、各々のアナログマスタＡＭ１〜ＡＭ３の位置ずれが少ないほど、最終のホログラムの色ずれが少なく、高品質になる。このため、ホルダの位置精度とホルダへの設置位置精度は、±０．２ｍｍ以下程度が望ましい。さらに、アナログマスタＡＭを光軸方向前後に±５０ｍｍ以上移動可能な調整機構を設けるのが望ましい。
【００４５】
図１に示すように、アナログ用露光光学系１０で作製したアナログマスタＡＭ１〜ＡＭ３を現像する（ステップＳ１２）。
【００４６】
次いで、図３で示すホログラフィックステレオグラム用露光光学系２０でマスタホログラム（デジタルマスタＤＭ）を作製する（ステップＳ２）。
ホログラフィックステレオグラムでは、まず、図３（Ａ）に示すように、原画を（デジタルではない）ポジフイルムで作成する（ステップＳ２１）。例えば、回転台２１に物体２２を載せて回転させ、カメラ２３で撮影して少しずつ水平視差が異なる画像を記録して原画フィルム２４を作製する。次いで、図３（Ｂ）に示すように、原画フィルム２４一枚ごとにレーザ光２５を照射して、球面レンズ２６ａおよびシリンドリカルレンズ２６ｂによる結像を、記録媒体であるフィルム２７の前方に置かれたスリット２８を介して参照光２９とともにフィルム２７に記録して（ステップＳ２２）、現像する（ステップＳ２３）。なお、カラーでデジタルマスタＤＭを作成する場合には、赤・緑・青について１枚ずつ、計３枚作製することになる。
【００４７】
このホログラフィックステレオグラム２０以外にも、デジタルマスタＤＭを作製する際、原画フィルム２４のようなポジフィルムを用いずに、ＬＣＤ等の空間変調素子を用いていて、コンピュータグラフィックによって現実には存在しない３次元像を得ることもできる。なお、解像度は、露光ピッチ（スリットピッチ）に等しく、露光ピッチが細かければ、高解像度のホログラムを再生することができる。
すなわち、ステレオグラムは、アナログホログラムＡＨに比べ、情報量が格段に少なく、正確には疑似立体像であるが、画像ソースとしてカメラ２４による撮影物以外にも、ＣＧによる作画が可能であり、インパクトのある画像を得ることができる。
【００４８】
次に、先に作製したアナログマスタＡＭ１〜ＡＭ３を用いて複製ホログラムＦＨを作製する（ステップＳ３）。
図４には、複製ホログラムＦＨの作製に用いられる複製光学系３０が示されているが、図２において前述したアナログ用露光光学系１０と共通する部位には同じ符号を付して、重複する説明を流用することとする。
【００４９】
図４に示すように、複製光学系３０では、アナログ用露光光学系１０における対称物Ｍの位置に現像済みのアナログマスタＡＭ１〜ＡＭ３を一枚ずつ配置し、アナログ用露光光学系１０におけるアナログマスタＡＭの位置に複製ホログラムＦＨ用の記録媒体３１を配置する。また、アナログ用露光光学系１０のミラーＭ１１およびスペイシャルフィルタＳＦ１を外して、レンズＬ１５、ピンホールＰ１５、凹面鏡Ｍ１６を設ける。そして、アナログ用露光光学系１０における物体光Ｂａ１を、レンズＬ１５およびピンホールＰ１５によって発散光Ｂａ４に変換し、凹面鏡Ｍ１６で反射して複製ホログラムＦＨに参照光Ｂａ５として照射する。なお、ここでは光束の種類により、複製ホログラムＦＨの再生時への画質の影響は小さいので、発散光Ｂａ４をそのままを照射しても良く、平行光に変換し照射しても良く、収束光Ｂａ５に変換し照射しても良い。従って、凹面鏡Ｍ１６を設けずに、レンズＬ１５又はピンホールＰ１５から直接複製ホログラムＦＨに参照光として照射することもできるが、収束光Ｂａ５が最も望ましい。
【００５０】
一方、アナログ用露光光学系１０における参照光Ｂｂ３を再生照明光Ｂｂ４としてアナログマスタＡＭに照射し、アナログマスタＡＭにおいて再生された光を物体光Ｂｂ５として複製ホログラムＦＨに照射する。これにより、アナログマスタＡＭが記録媒体３１上に再生され、記録媒体３１に記録されて複製ホログラムＦＨを形成することができる。なお、アナログマスタＡＭがカラーの場合のように複数枚ある場合には、アナログマスタＡＭを次々に交換して、現像を行わずに１枚の複製ホログラムＦＨに重ねて露光する。
【００５１】
次に、複製光学系３０におけるアナログマスタＡＭの位置にホログラフィックステレオグラム用マスタ（デジタルマスタＤＭ）を配置して、先に作成された複製ホログラムＦＨの上に重ねて露光する（ステップＳ４）。このとき、記録媒体３１に対するアナログマスタＡＭとデジタルマスタＤＭとの距離を調整することにより、再生の際のアナログホログラムＡＨによる像とデジタルホログラムＤＨによる像との遠近を、任意に設定することができる。
特に、ＬＣＤ等の空間変調素子を用いていて、コンピュータグラフィックによってデジタルマスタＤＭを作成した場合、像の位置及び観察の方向などが比較的容易に設定できるので、アナログマスタＡＭとの間で像の位置などの連携を取りやすいく、アナログマスタＡＭの像と多重露光となる範囲を容易に限定することができ、回折効率が低下する多重範囲を少なくする配置として、像全体を明るく保つことができる。
【００５２】
最後に、記録媒体３１を現像して（ステップＳ５）、多重露光ホログラム１が完成する。なお、複製ホログラム再生は、比較的点光源に近い白色光を用いて再生するが、この場合、通常、ハロゲンランプやメタルハライドランプ等の白色ランプが使用される。再生時には、白色ランプから複製ホログラムへの再生光の逆方向の参照光を用いることにより、最も歪の少ないホログラム像を再生することができる。
【００５３】
次に、第２の実施形態を説明する。
図５は第２の実施形態の多重露光ホログラム作製方法に係る実施形態を示すフローチャート図、図６はデジタル用露光光学系を示す構成図である。
本実施形態の多重露光ホログラム作製方法は、まず図１のステップＳ１と同様に、物体に直接光を照射記録する光干渉型露光手段により実写ホログラム（以後、「アナログホログラムＡＨ」と言う。）であるマスタホログラム記録媒体を作製し（ステップＳ６）、次に、このアナログホログラムＡＨを複製用光学系に移して複製露光して複製ホログラムを作製し（ステップＳ７）、この複製ホログラムを現像する前に他の方式の光干渉型露光手段（本実施態様では空間光変調素子による露光）に移動して（従って、暗室内となる）、デジタルホログラムＤＨを多重露光し（ステップＳ８）、現像して（ステップＳ９）多重露光ホログラム１を作製する。なお、アナログホログラムＡＨおよびデジタルホログラムＤＨはカラーであるとする。
【００５４】
図５に示す第２の実施形態の多重露光ホログラム作製方法では、アナログホログラム用マスタ（アナログマスタＡＭ）（ステップＳ６）の作製はステップＳ１と、アナログホログラム用マスタの複製（ステップＳ７）についてはステップＳ３と同様であり、同様の光学系を利用するので、露光に関する説明は図２及び図４を流用する。
【００５５】
図６には、他の方式（空間光変調素子）に用いられるデジタル露光光学系４０が示されているが、図２において前述したアナログ用露光光学系１０と共通する部位には同じ符号を付して、重複する説明を流用することとする。
ステップＳ７でアナログホログラムＡＨの複製の露光が完了すると、図６に示したデジタル露光光学系４０の露光位置に、ステップＳ７で作製した未現像の複製ホログラムＦＨを露光位置に保持する。
【００５６】
デジタル露光光学系４０においては、物体光Ｂａ１のダイクロイックミラーＤＭ２の光進行方向位置にはビーム径を広げるビーム径拡大手段（ビームエキスパンダ）ＢＥが設けられる。ビームエキスパンダＢＥは、第１レンズＬ１１０、ピンホールＰ１１０、第２レンズＬ１１１から構成される。通常、レーザ光源から出射されるレーザビームの直径は、０．１〜５ｍｍ程度である。これを後の空間光変調素子ＳＬＭ１０の全域に照射されるよう、ビームエキスパンダＢＥによってビーム径を拡大する。
【００５７】
ピンホールＰ１１０は、通常のビームエキスパンダＢＥには使用されないが、本実施の形態では、後の光干渉に使用するため、ビーム品質を高くしておくことが好ましい。このため、第１レンズＬ１１０の焦点位置にφ２０〜５０μｍの円形ピンホールを設置する。
【００５８】
ピンホールＰ１０の光進行方向位置には第２レンズＬ１１１が設けられる。第２レンズＬ１１１は、発散した光を平行光にする焦点距離ｆのコリメータレンズである。この第２レンズＬ１１１としても、プラスのパワーを持つレンズが用いられる。また、アクロマティックレンズのような、波長が異なっても焦点位置の変化が小さい（色収差が小さい）レンズを使用するのが好ましい。
【００５９】
広げられた物体光にホログラムとなる画像情報を乗せる透過型空間光変調素子ＳＬＭ１０がビームエキスパンダＢＥの光進行方向位置に設けられる。この空間光変調素子ＳＬＭ１０は、例えば電気アドレス型の空間光変調器であり、液晶ディスプレイ等で構成されており、広げられた物体光である入射する平面波の光強度（振幅）を画素毎に変調して画像情報を乗せて透過させる。空間光変調素子ＳＬＭ１０の表示画像、すなわち、空間光変調素子ＳＬＭ１０からの出力光像は、各画素の透過率を変化させることによって変化させることができる。これにより、複製ホログラムＦＨの記録面上の露光位置に応じた、画像処理を行う。
【００６０】
上記の透過型空間光変調素子ＳＬＭ１０によれば、透過した物体光が、不図示のインターレース露光手段によって、一定間隔の領域毎で分割されている複数の点在物体光群が複製ホログラムＦＨ記録面上での相対位置を同時に移し、多数ドットによる高速な露光を実施し、露光位置に配置された未現像の複製ホログラムＦＨに対して、後述の参照光との干渉を発生させることで多重露光ホログラムを作成する。（ステップＳ８）
【００６１】
以下には参照光の光学系を説明する。
前述の参照光Ｂｂ１用のダイクロイックミラーＤＭ４の光進行方向位置には参照光用ミラーＭ２０が設けられている。更に、参照光用ミラーＭ２０の光進行方向位置には、レンズＬ１２０、ピンホールＰ１２０、レンズＬ１２１の順次配置により参照光用ビームエキスパンダとして構成される。
【００６２】
レンズＬ１２０は物体光用第1レンズＬ１１０と対応し、アパーチャ（ピンホール）Ｐ１２０は物体光用アパーチャ（ピンホールＰ１１０）と対応し、レンズＬ１２１は物体光用第２レンズＬ１１１と対応して、物体光用のビームエキスパンダＢＥと同様の作用を有する。
【００６３】
レンズＬ１２１の光進行方向位置には参照光用最終ミラーＭ２１が配置される。この参照光用最終ミラーＭ２１は、参照光を記録媒体に所定の角度で偏向（向ける）するミラーである。参照光用最終ミラーＭ２１で反射される参照光Ｂｂ１は、そのサイズが複製ホログラムＦＨの物体光露光エリア全域に均一照度に照射される。
【００６４】
前述のように、このような参照光と透過型空間光変調素子ＳＬＭ１０による物体光との干渉により、未現像の複製ホログラムに対して、デジタルホログラムＤＨを多重露光し（ステップＳ８）、現像して（ステップＳ９）多重露光ホログラムＦＨを作製する。
【００６５】
図７および図８には、本実施形態によりアナログホログラムＡＨとデジタルホログラムＤＨを重ねて作成されたホログラム（ハイブリッドホログラム）ポスター１及び１ａの例が示されている。図７はデジタルホログラムである「３Ｄ文字」とアナログホログラムＡＨである「カバン」とが重なっているポスター１であり、図８は両ホログラムが重なっていないポスター１ａである。すなわち、複製の際に、デジタルマスタＤＭと複製ホログラムＦＨとの距離Ｌ（図４参照）を短く設定すると、デジタルマスタＤＭの再生像である文字がアナログマスタＡＭの再生像であるカバンの奥に配置されて記録されることになり、図７に示すようにカバンが前方に浮き出したイメージとなる。一方、デジタルマスタＤＭと複製ホログラムＦＨとの距離Ｌを長く設定すると、アナログマスタＡＭの再生像であるカバンの手前にデジタルマスタＤＭの再生像である文字が配置されて記録されることになり、文字が前方に浮き出したイメージとなる。
【００６６】
以上説明した多重露光ホログラム作成方法によれば、アナログ用露光光学系１０を用いて実写によりアナログマスタＡＭを作製し、ホログラフィックステレオグラム用露光光学系２０によってデジタルマスタＤＭを作製して、アナログマスタＡＭについて複製を作製する。そして、複製済みのアナログマスタＡＭをデジタルマスタＤＭと置き換えて、多重露光を行うことにより、実写による高精度の像と、例えば３Ｄ文字とを１枚の記録媒体に記録することができ、インパクトのあるホログラムを作製することができる。
【００６７】
なお、アナログホログラムＡＨを記録する記録媒体１１としては、銀塩感光材料が一般に利用されており、本実施形態では以下のような感光層を備える記録媒体を使用する。
【００６８】
（乳剤の調製）
ＫＢｒ０．７０ｇ、平均分子量１０００００の脱イオン骨ゼラチン９．０ｇを含むイオン交換水２０００ｍＬを１５℃に保ち、強く撹拌した。二酸化チオ尿素０．１７ｇを添加した後、水酸化ナトリウム水溶液でｐＨを６．０に合わせた。ＡｇＮＯ3（３２．０ｇ）水溶液５００ｍｌと、平均分子量２００００の脱イオン骨ゼラチン２．０gおよびＫＩを１モル％含むＫＢｒ水溶液をダブルジェット法で５分間かけて添加した。この時、銀電位を飽和カロメル電極に対して−２０ｍＶに保った。粒子形成時のＡｇＮＯ3水溶液の添加開始から３分後にＫ2［ＩｒＣｌ6］水溶液をハロゲン化銀１モルに対して１×１０-3モル添加した。粒子形成時のＡｇＮＯ3水溶液の添加開始から４分後にＫ4［Ｆｅ（ＣＮ）6］水溶液をハロゲン化銀１モルに対して１×１０-3モル添加した。ＡｇＮＯ3水溶液の添加終了時に、強色増感剤ＳＳ−１をハロゲン化銀１モルに対して１．０×１０-3モル添加した後、増感色素Ｓ−１、Ｓ−２を４５：５５のモル比率で、ハロゲン化銀１モルに対して３．０×１０-3モル添加した。増感色素は、特開平１１−５２５０７号に記載の方法で作成した固体分散物として使用した。硝酸ナトリウム７ｇおよび硫酸ナトリウム３ｇをイオン交換水８０ｇに溶解した後増感色素１０ｇを添加して、６０℃の条件下、ディゾルバー翼を用い２０００ｒｐｍで５０分間分散することにより、増感色素の固体分散物を得た。
温度を２０℃に昇温した後、通常の水洗を行なった。平均分子量２００００の脱イオン骨ゼラチン１４ｇを含む２５℃のイオン交換水を添加した後、３０℃でＰＨを６．０に調整した。３５℃に昇温して、ハロゲン化銀１モルに対して、二酸化チオ尿素（６．０×１０-5モル）、塩化金酸（９．０×１０-4モル）、チオ硫酸ナトリウム（１．０×１０-3モル）およびＮ，Ｎ−ジメチルセレノ尿素（９．０×１０-4モル）を添加して最適に化学増感を施した。かぶり防止剤として、ハロゲン化銀１モルに対してＣｐｄ−１（１．０×１０-3モル）およびＣｐｄ−２（５．０×１０-3モル）を添加して化学増感を終了した。
本乳剤の乳剤粒子は粒径が１８ｎｍ〜２８ｎｍの範囲にほぼ含まれ、数平均円相当径が１５ｎｍであり、円相当径の変動係数が１５％の立方体粒子であった。本乳剤の乳剤粒子は３モル％の沃化銀を含有する臭化銀粒子であった。
【００６９】
【化１】
2008209722.tif 000003
【化２】
2008209722.tif 000004
【００７０】
下塗り層を設けた厚み２００μｍの三酢酸セルロースフィルム支持体に、前記の乳剤を塗布した。以下に塗布条件を示す。数字は塗布量（ｇ／ｍ2）を表し、ハロゲン化銀乳剤は銀換算塗布量を表す。
【００７１】
（乳剤層）
乳剤に下記化合物を添加し、銀塗布量が６．７５ｇ／ｍ2となるように塗布した。
乳剤                   ６．７５
ゼラチン             １０．２５
Ｃｐｄ−４             ０．１０
Ｃｐｄ−５             ０．５０
Ｃｐｄ−６             ０．０７
【００７２】
【化３】
2008209722.tif 000005
【００７３】
これらの他に、以下に示す化合物Ｃｐｄ−７〜Ｃｐｄ−１１およびＣｐｄ−１３を添加して乳剤層の塗布を行なった。
【００７４】
【化４】
2008209722.tif 000006
【００７５】
乳剤層を塗布した面とは反対側の面にバック層を塗布した。以下に塗布条件を示す。数字は塗布量（ｇ／ｍ2）を表す。
【００７６】
（バック層）
＜バック層塗布液の調製と塗布＞
ゼラチン水溶液に下記化合物を添加し、ゼラチン塗布量が１０．５０ｇ／ｍ2となるように塗布した。
ゼラチン（Ｃａ2+含有量３０ｐｐｍ）                          １０．５０
ポリメチルメタクリレート微粒子（平均粒径４．３μｍ）        ０．０１５
ｐ−ドデシルベンゼンスルホン酸ナトリウム                    ０．０２５
ジヘキシル−α−スルホサクシナートナトリウム                  ０．１１
Ｎ−パーフルオロオクタンスルホニル
−Ｎ−プロピルグリシンポタジウム                      ０．０２５
硫酸ナトリウム                                                ０．０４
酢酸ナトリウム                                                ０．０４
硝酸カリウム                                                  ０．１２
Ｃｐｄ−５                                                    ０．５０
Ｃｐｄ−６                                                    ０．０５
Ｃｐｄ−１２                                                  ０．０２
【００７７】
【化５】
2008209722.tif 000007
【００７８】
このようにして作成した塗布試料の乳剤層側の乾燥膜厚は１２．０μｍ、バック層側の乾燥膜厚は９．０μｍであった。
【００７９】
これにより、粒子が小さい銀塩乳剤を含む記録媒体１１を用いるので干渉縞のピッチあたりの粒子数が増加し、全体の回折効率が向上するだけでなく、粒子個々の反応が小さくても粒子数の増加により、分解能が向上し、明るいホログラムとすることができる。
【００８０】
また、前述のように、主粒径１８〜２８ｎｍの銀塩乳剤を含む感光層では、Ｒ（赤）Ｇ（緑）の波長と比べてもＢ（青）波長の回折効率低下はない。従って、白色バランスに関して、Ｒ（赤）Ｇ（緑）Ｂ（青）間の露光量比率をほぼ同じとすることで、従来と同様の露光時間とすれば、記録媒体の回折効率を十分に利用することができ、ホログラムを明るくすることができる。一方、同じ明るさの場合には、短い時間で露光完了することができる。
【００８１】
ここで、本発明の多重露光ホログラム作製方法は、前述した実施形態に限定されるものでなく、適宜な変形，改良等が可能である。
例えば、前述した実施形態においては、異なる光干渉型露光手段としてアナログ用露光光学系１０とデジタル用露光光学系２０とを用い、アナログホログラムとデジタルホログラムとを重ねる場合について説明したが、異なる方式の光干渉型露光手段によって得られるアナログホログラム同士を重ねることも可能である。例えば、アナログホログラムとしては、先述したもの以外に、レインボーホログラムやイメージホログラム、デニシュークホログラム等を用いることができる。
あるいは、デジタルホログラム同士を重ねることも可能である。例えば、デジタルホログラムとしてホログラフィックステレオグラムを用いたが、ＣＧ等を用いることも可能である。
【００８２】
また、前述した実施形態においては、アナログマスタＡＭを作製する際に、参照光と物体光を記録媒体に対して同じ側から照射するものについて説明したが、物体光と参照光を記録媒体に対して反対側から照射（リップマンホログラム）するようにしても良い。同様に、複製光学系３０については物体光と参照光を記録媒体に対して反対側から照射（リップマンホログラム）するものを用いたが、参照光と物体光を記録媒体に対して同じ側から照射することも可能である。
また、前述した実施形態においては、アナログホログラムおよびデジタルホログラムをカラーのものとしたが、単一色の物であっても良い。
また、前述した実施形態においては、アナログホログラムの複製を先に作製して、この複製にデジタルホログラムを多重露光するようにしたが、デジタルホログラムを先に作製して、この複製にアナログホログラムを多重露光するようにしても良い。
【００８３】
以上のように、本発明に係る多重露光ホログラム作製方法は、多重露光によって１枚の記録媒体に像と像を同時に記録したり、像と文字等を同時に記録することができるので、インパクトのある像を容易に再現することができるという効果が得られるという効果を有し、異なる複数の光干渉型露光手段によって１枚の記録媒体にホログラムを記録する多重露光ホログラム作製方法等として有用である。
【図面の簡単な説明】
【００８４】
【図１】本発明の多重露光ホログラム作製方法に係る実施形態を示すフローチャートである。
【図２】アナログ用露光光学系を示す構成図である。
【図３】（Ａ）および（Ｂ）はデジタル用露光光学系を示す構成図である。
【図４】複製光学系を示す構成図である。
【図５】本発明の第２の実施形態の多重露光ホログラム作成方法に係る実施形態を示すフローチャートである。
【図６】デジタル用露光光学系を示す構成図である。
【図７】本発明の多重露光ホログラム作製方法によって作製されたイメージでありアナログホログラムとデジタルホログラムとが重なった場合を示す説明図である。
【図８】本発明の多重露光ホログラム作製方法によって作製されたイメージでありアナログホログラムとデジタルホログラムとが重なっていない場合を示す説明図である。
【符号の説明】
【００８５】
１  多重露光ホログラム（ホログラム）
１０  アナログ用露光光学系（光干渉型露光手段）
１１  記録媒体
２０  ホログラフィックステレオグラム用露光光学系（光干渉型露光手段）
３０  ホログラム複製光学系
ＡＨ  アナログホログラム
ＡＭ  アナログマスタ（マスタホログラム記録媒体）
ＤＭ  デジタルマスタ（マスタホログラム記録媒体）
ＦＨ  複製ホログラム（複製記録媒体）
【図１】
2008209722.tif 000008
【図２】
2008209722.tif 000009
【図３】
2008209722.tif 000010
【図４】
2008209722.tif 000011
【図５】
2008209722.tif 000012
【図６】
2008209722.tif 000013
【図７】
2008209722.tif 000014
【図８】
2008209722.tif 000015